【手続補正書】
【提出日】平成20年10月16日(2008.10.16)
【手続補正１】
【補正対象書類名】特許請求の範囲
【補正対象項目名】請求項１
【補正方法】変更
【補正の内容】
【請求項１】
仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置であって、
前記ポインティングデバイスから前記入力座標を取得する座標取得手段と、
ユーザの操作に応じて、第１の制御および当該第１の制御とは異なる第２の制御の何れか１つを選択する制御選択手段と、
前記制御選択手段が前記第１の制御を選択したとき、前記入力座標と所定の座標とに基づいて移動ベクトルを算出し、当該移動ベクトルに応じて前記表示装置に表示する前記仮想空間の表示範囲を移動させる第１制御手段と、
前記制御選択手段が前記第２の制御を選択したとき、前記入力座標に対応する仮想空間内の位置まで前記オブジェクトを移動させる第２制御手段と、
前記表示範囲内の前記仮想空間を表示装置に表示させる表示制御手段とを備える、情報処理装置。
【手続補正２】
【補正対象書類名】特許請求の範囲
【補正対象項目名】請求項２
【補正方法】変更
【補正の内容】
【請求項２】
仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置であって、
前記ポインティングデバイスから前記入力座標を取得する座標取得手段と、
ユーザの操作に応じて、第１の制御および当該第１の制御とは異なる第２の制御の何れか１つを選択する制御選択手段と、
前記制御選択手段が前記第１の制御を選択したとき、前記入力座標と所定の座標とに基づいて移動ベクトルを算出し、当該移動ベクトルに応じて前記仮想空間内において前記オブジェクトを移動させる第１制御手段と、
前記制御選択手段が前記第２の制御を選択したとき、前記入力座標に対応する仮想空間内の位置まで前記オブジェクトを移動させる第２制御手段と、
前記表示装置の表示範囲内における前記仮想空間を当該表示装置に表示させる表示制御手段とを備える、情報処理装置。
【手続補正３】
【補正対象書類名】特許請求の範囲
【補正対象項目名】請求項１２
【補正方法】変更
【補正の内容】
【請求項１２】
仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置のコンピュータで実行される情報処理プログラムであって、
前記ポインティングデバイスから前記入力座標を取得する座標取得手段と、
ユーザの操作に応じて、第１の制御および当該第１の制御とは異なる第２の制御の何れか１つを選択する制御選択手段と、
前記制御選択手段が前記第１の制御を選択したとき、前記入力座標と所定の座標とに基づいて移動ベクトルを算出し、当該移動ベクトルに応じて前記表示装置に表示する前記仮想空間の表示範囲を移動させる第１制御手段と、
前記制御選択手段が前記第２の制御を選択したとき、前記入力座標に対応する仮想空間内の位置まで前記オブジェクトを移動させる第２制御手段と、
前記表示範囲内の前記仮想空間を表示装置に表示させる表示制御手段として、前記コンピュータを機能させる、情報処理プログラム。
【手続補正４】
【補正対象書類名】特許請求の範囲
【補正対象項目名】請求項１３
【補正方法】変更
【補正の内容】
【請求項１３】
仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置のコンピュータで実行される情報処理プログラムであって、
前記ポインティングデバイスから前記入力座標を取得する座標取得手段と、
ユーザの操作に応じて、第１の制御および当該第１の制御とは異なる第２の制御の何れか１つを選択する制御選択手段と、
前記制御選択手段が前記第１の制御を選択したとき、前記入力座標と所定の座標とに基づいて移動ベクトルを算出し、当該移動ベクトルに応じて前記仮想空間内において前記オブジェクトを移動させる第１制御手段と、
前記制御選択手段が前記第２の制御を選択したとき、前記入力座標に対応する仮想空間内の位置まで前記オブジェクトを移動させる第２制御手段と、
前記表示装置の表示範囲内における前記仮想空間を当該表示装置に表示させる表示制御手段として、前記コンピュータを機能させる、情報処理プログラム。
【手続補正５】
【補正対象書類名】明細書
【補正対象項目名】０００６
【補正方法】変更
【補正の内容】
【０００６】
第１の発明は、仮想空間を表示装置（１２）に表示させ、ユーザの操作に応じたポインティングデバイス（１５）からの出力に基づいて当該表示装置の画面座標系に基づいた入力座標（ＴＰ）を取得し、当該入力座標に応じて当該仮想空間においてオブジェクト（ＰＣ）を移動させる情報処理装置（１）である。情報処理装置は、座標取得手段（ステップ５３およびステップ９３を実行するＣＰＵコア２１、以下、単にステップ番号のみ記載する）、制御選択手段（Ｓ５２、Ｓ９２）、第１制御手段（Ｓ５３〜Ｓ５５、Ｓ５７、Ｓ５８、Ｓ９４〜Ｓ９５）、第２制御手段（Ｓ５６〜Ｓ５８、Ｓ９６〜Ｓ９８）、および表示制御手段（Ｓ５９、Ｓ９９）を備える。座標取得手段は、ポインティングデバイスから入力座標を取得する。制御選択手段は、ユーザの操作に応じて、第１の制御および当該第１の制御とは異なる第２の制御の何れか１つを選択する。第１制御手段は、制御選択手段が第１の制御を選択したとき、入力座標と所定の座標（Ｐｐｃ、画面中央）とに基づいて移動ベクトル（Ｐｍ、Ｍ）を算出し、当該移動ベクトルに応じて表示装置に表示する仮想空間の表示範囲を移動させる。第２制御手段は、制御選択手段が第２の制御を選択したとき、入力座標に対応する仮想空間内の位置（Ｐｍ）までオブジェクトを移動させる。表示制御手段は、表示範囲内の仮想空間を表示装置に表示させる。なお、ポインティングデバイスは、画面上での入力位置や座標を指定する入力装置であり、例えば、タッチパネル、マウス、トラックパッド、トラックボール、ゲームコントローラのハウジングで指し示された画面位置を検出するシステム等で実現される。
【手続補正６】
【補正対象書類名】明細書
【補正対象項目名】０００７
【補正方法】変更
【補正の内容】
【０００７】
第２の発明は、仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置である。情報処理装置は、座標取得手段（Ｓ１１３）、制御選択手段（Ｓ１１２）、第１制御手段（Ｓ１１４〜Ｓ１１５）、第２制御手段（Ｓ１１６〜Ｓ１１８）、および表示制御手段（Ｓ１１９）とを備える。座標取得手段は、ポインティングデバイスから入力座標を取得する。制御選択手段は、ユーザの操作に応じて、第１の制御および当該第１の制御とは異なる第２の制御の何れか１つを選択する。第１制御手段は、制御選択手段が第１の制御を選択したとき、入力座標と所定の座標とに基づいて移動ベクトルを算出し、当該移動ベクトルに応じて仮想空間内においてオブジェクトを移動させる。第２制御手段は、制御選択手段が第２の制御を選択したとき、入力座標に対応する仮想空間内の位置までオブジェクトを移動させる。表示制御手段は、表示装置の表示範囲内における仮想空間を当該表示装置に表示させる。
【手続補正７】
【補正対象書類名】明細書
【補正対象項目名】００１７
【補正方法】変更
【補正の内容】
【００１７】
第１２の発明は、仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置のコンピュータ（２１）で実行される情報処理プログラムである。情報処理プログラムは、座標取得手段、制御選択手段、第１制御手段、第２制御手段、および表示制御手段として、コンピュータを機能させる。座標取得手段は、ポインティングデバイスから入力座標を取得する。制御選択手段は、ユーザの操作に応じて、第１の制御および当該第１の制御とは異なる第２の制御の何れか１つを選択する。第１制御手段は、制御選択手段が第１の制御を選択したとき、入力座標と所定の座標とに基づいて移動ベクトルを算出し、当該移動ベクトルに応じて表示装置に表示する仮想空間の表示範囲を移動させる。第２制御手段は、制御選択手段が第２の制御を選択したとき、入力座標に対応する仮想空間内の位置までオブジェクトを移動させる。表示制御手段は、コンピュータを機能させる表示範囲内の仮想空間を表示装置に表示させる。
【手続補正８】
【補正対象書類名】明細書
【補正対象項目名】００１８
【補正方法】変更
【補正の内容】
【００１８】
第１３の発明は、仮想空間を表示装置に表示させ、ユーザの操作に応じたポインティングデバイスからの出力に基づいて当該表示装置の画面座標系に基づいた入力座標を取得し、当該入力座標に応じて当該仮想空間においてオブジェクトを移動させる情報処理装置のコンピュータで実行される情報処理プログラムである。情報処理プログラムは、座標取得手段、制御選択手段、第１制御手段、第２制御手段、および表示制御手段として、コンピュータを機能させる。座標取得手段は、ポインティングデバイスから入力座標を取得する。制御選択手段は、ユーザの操作に応じて、第１の制御および当該第１の制御とは異なる第２の制御の何れか１つを選択する。第１制御手段は、制御選択手段が第１の制御を選択したとき、入力座標と所定の座標とに基づいて移動ベクトルを算出し、当該移動ベクトルに応じて仮想空間内においてオブジェクトを移動させる。第２制御手段は、制御選択手段が第２の制御を選択したとき、入力座標に対応する仮想空間内の位置までオブジェクトを移動させる。表示制御手段は、表示装置の表示範囲内における仮想空間を当該表示装置に表示させる。